(57)【特許請求の範囲】
【請求項１】
構造物から吊り下げられ構造物側面に沿って移動される作業ケージを備えたゴンドラ装置に設けられ前記構造物側面の凹凸作業面に対してハネ出し収納式の床板から作業を可能としたゴンドラ用の収納式床装置であって、
前記作業ケージの床面の一端部にハネ出し収納可能に連結されるハネ出し収納式の床板と、
前記ハネ出し収納式の床板の前記作業ケージ側を除く前方および両側面に前記作業ケージの本体手摺とほぼ同一高さに設けられるハネ出し手摺枠と、を備えており、
前記ハネ出し手摺枠は、前方手摺枠と側部手摺枠とを備えて構成され、
前記前方手摺枠は、前方上手摺枠と前方下手摺枠とが折り畳み可能に連結されて前記本体手摺の高さに前記前方上手摺枠を折り畳み収納可能に構成され、
前記側部手摺枠は、上部横手摺リンクを備え、前記上部横手摺リンクの一端部が前記本体手摺の上端部に回動可能に連結され、前記上部横手摺リンクの他端部が前記側部手摺枠から突き出す連結ピンに長孔を介して回動可能に連結されて前記上部横手摺リンクを前記本体手摺の高さに折り畳み収納可能に構成した、
ことを特徴とするゴンドラ用の収納式床装置。
【請求項２】
前記ハネ出し手摺枠には、折り畳み収納状態を保持するストッパ部材を設けて構成したことを特徴とする請求項１に記載のゴンドラ用の収納式床装置。
【発明の詳細な説明】
【技術分野】
【０００１】
この発明はゴンドラ用の収納式床装置に関し、建築物などの構造物の上部から垂下したワイヤロープなどの索条を介して作業ケージから作業を行うゴンドラ装置で、構造物側面に凹凸作業面があっても床板およびハネ出し手摺枠を設けて作業ができるとともに、収納した状態でハネ出し手摺枠が上方に突き出すなど通常の作業ケージからの作業に支障を及ぼさずに作業ができるようにしたものである。
【背景技術】
【０００２】
従来から、ビル、エレベータピット、船舶、発電所、タンク、煙突、そして橋梁などの構造物での機器の設置、構造物の壁面などの側面の構築や補修などの高所作業を安全かつ能率的に行うためワイヤロープなどの索条で吊り下げた作業者が搭乗する作業ケージを備えたゴンドラ装置や自動窓拭き装置などを搭載する作業ケージなどを吊り下げたゴンドラ装置を用いることも多く、作業ケージを一定高さに設置したり、昇降機構で上下に昇降可能としたり、さらに必要に応じて上下の昇降だけでなく左右の横行も可能とすることを組み合わせて作業ケージを移動させることで広範囲の作業を行うようにしている（例えば特許文献１，２参照）。
【０００３】
このような作業ケージを備えるゴンドラ装置で作業を行う場合に、例えばビルの各階を仕切る梁などのように、構造物の側面に凹凸部分があり、突き出した部分への作業と、窪んだ部分への作業を繰り返し行う必要がある場合も少なくない。
【０００４】
このような突き出した部分と窪んだ部分にゴンドラ装置で作業を行う場合には、突き出した部分に対して昇降できる作業ケージを備えたゴンドラ装置に、作業ケージから突き出す床板を伸縮機構や回動機構で収納可能に設置しておき、この突き出す床板部分に乗り移って作業を行うことが考えられており、この突き出す床板部分に対しても安全に作業ができるように作業ケージと同様に手摺を設ける必要がある。
【先行技術文献】
【特許文献】
【０００５】
【特許文献１】特開平２−３０８５１号公報
【特許文献２】特開平８−１１４０２７号公報
【発明の開示】
【発明が解決しようとする課題】
【０００６】
ところが、突き出す床部分に設けた手摺を収納すると作業ケージに設置されている手摺より上方に突き出してしまう場合があり、突き出して高くなった手摺によって突き出した作業面への作業が連続してできず、高く突き出した手摺部分で中断しなければならないという問題がある。
一方、突き出す床部分の手摺を着脱式として取り外すことも考えられるが、作業面に凹凸が繰り返し存在する場合には、繰り返し着脱しなければならず煩雑となり、作業効率が低下するという問題もある。
この発明は、上記従来技術の問題点に鑑みてなされたもので、構造物側面に凹凸作業面があっても床板を収納した状態で手摺枠が上方に突き出すなど通常の作業ケージからの作業に支障を及ぼさずに作業ができるゴンドラ用の収納式床装置を提供しようとするものである。
【課題を解決するための手段】
【０００７】
上記課題を解決するためこの発明の請求項１記載のゴンドラ用の収納式床装置は、構造物から吊り下げられ構造物側面に沿って移動される作業ケージを備えたゴンドラ装置に設けられ前記構造物側面の凹凸作業面に対してハネ出し収納式の床板から作業を可能としたゴンドラ用の収納式床装置であって、前記作業ケージの床面の一端部にハネ出し収納可能に連結されるハネ出し収納式の床板と、前記ハネ出し収納式の床板の前記作業ケージ側を除く前方および両側面に前記作業ケージの本体手摺とほぼ同一高さに設けられるハネ出し手摺枠と、を備えており、前記ハネ出し手摺枠は、前方手摺枠と側部手摺枠とを備えて構成され、前記前方手摺枠は、前方上手摺枠と前方下手摺枠とが折り畳み可能に連結されて前記本体手摺の高さに前記前方上手摺枠を折り畳み収納可能に構成され、前記側部手摺枠は、上部横手摺リンクを備え、前記上部横手摺リンクの一端部が前記本体手摺の上端部に回動可能に連結され、前記上部横手摺リンクの他端部が前記側部手摺枠から突き出す連結ピンに長孔を介して回動可能に連結されて前記上部横手摺リンクを前記本体手摺の高さに折り畳み収納可能に構成した、ことを特徴とするものである。
【０００９】
この発明の請求項２記載のゴンドラ用の収納式床装置は、請求項１に記載の構成に加え、前記ハネ出し手摺枠には、折り畳み収納状態を保持するストッパ部材を設けて構成したことを特徴とするものである。
【発明の効果】
【００１０】
この発明の請求項１記載のゴンドラ用の収納式床装置によれば、構造物から吊り下げられ構造物側面に沿って移動される作業ケージを備えたゴンドラ装置に設けられ前記構造物側面の凹凸作業面に対してハネ出し収納式の床板から作業を可能としたゴンドラ用の収納式床装置であって、前記作業ケージの床面の一端部にハネ出し収納可能に連結されるハネ出し収納式の床板と、前記ハネ出し収納式の床板の前記作業ケージ側を除く前方および両側面に前記作業ケージの本体手摺とほぼ同一高さに設けられるハネ出し手摺枠と、を備えており、前記ハネ出し手摺枠は、前方手摺枠と側部手摺枠とを備えて構成され、前記前方手摺枠は、前方上手摺枠と前方下手摺枠とが折り畳み可能に連結されて前記本体手摺の高さに前記前方上手摺枠を折り畳み収納可能に構成され、前記側部手摺枠は、上部横手摺リンクを備え、前記上部横手摺リンクの一端部が前記本体手摺の上端部に回動可能に連結され、前記上部横手摺リンクの他端部が前記側部手摺枠から突き出す連結ピンに長孔を介して回動可能に連結されて前記上部横手摺リンクを前記本体手摺の高さに折り畳み収納可能に構成したので、ハネ出し式の床板を収納するとともに、ハネ出し手摺枠を収納した後折り畳むことで、本体手摺とほぼ同一の高さまで低くすることができ、収納状態での作業に支障を与えることがなく、通常の作業ケージと同様に、スムーズに連続して作業することができる。
また、前記側部手摺枠は、上部横手摺リンクを備え、前記上部横手摺リンクの一端部が前記本体手摺の上端部に回動可能に連結され、前記上部横手摺リンクの他端部が前記側部手摺枠から突き出す連結ピンに長孔を介して回動可能に連結されているので、側部手摺枠を簡単に操作して本体手摺とほぼ同一の高さまで低くすることができ、収納状態での作業に支障を及ぼすことがなく、スムーズに連続して作業することができる。
【００１２】
この発明の請求項２記載のゴンドラ用の収納式床装置によれば、前記ハネ出し手摺枠には、折り畳み収納状態を保持するストッパ部材を設けて構成したので、ストッパ部材で折り畳み状態を保持することで、昇降などの移動を安全に行うことができる。
【図面の簡単な説明】
【００１３】
【図１】この発明のゴンドラ用の収納式床装置の一実施の形態にかかり、（ａ）は左半分の平面図、（ｂ）は左半分の正面図、（ｃ）は左側面図である。
【図２】この発明のゴンドラ用の収納式床装置の一実施の形態にかかり、（ａ）はハネ出し状態の側面図、（ｂ）はハネ出し状態の正面図である。
【図３】この発明のゴンドラ用の収納式床装置の一実施の形態にかかり、（ａ）は収納状態の側面図、（ｂ）は収納状態の正面図である。
【図４】この発明のゴンドラ用の収納式床装置の一実施の形態にかかるハネ出し状態から収納状態までの過程の動作説明図である。
【図５】この発明のゴンドラ用の収納式床装置の一実施の形態にかかり、（ａ）は収納式の床板の平面図、（ｂ）は収納式の床板の正面図である。
【図６】この発明のゴンドラ用の収納式床装置の一実施の形態にかかり、（ａ）はハネ出し手摺枠の前方上手摺枠の正面図および側面図、（ｂ）はハネ出し手摺枠の前方下手摺枠の正面図および側面図である。
【発明を実施するための形態】
【００１４】
以下、この発明のゴンドラ用の収納式床装置の一実施の形態について添付図面を参照して詳細に説明する。 
このゴンドラ用の収納式床装置１０は、構造物から吊り下げられ構造物の側面に沿って移動されるゴンドラ装置１の作業ユニットを構成する作業ケージ２に設けられ、作業ケージ２の床面から延長させてハネ出し収納式の床板１１を設け、このハネ出し収納式の床板１１に作業ケージ２から乗り移って作業をできるようにするものである。このハネ出し収納式の床板１１には、作業ケージ２側を除く前方と両側面にそれぞれ作業ケージ２の本体手摺３と同一高さのハネ出し手摺枠１２が設置され、床板１１のハネ出し収納に連動してハネ出して設置されるとともに、収納できるように構成してある。
【００１５】
このゴンドラ用の収納式床装置１０は、例えば図１に示すように、作業ケージ２の前面の左右の２箇所（図示例では、左半分の１箇所のみを示し、左半分のもう１箇所は省略してある）に設け、構造物の凹凸作業面に対応してハネ出しと収納を行う。
なお、ゴンドラ装置の作業ケージの形式や形状、あるいはゴンドラ用の収納式床装置１０の設置位置や設置個数などは、作業内容により適宜設定すれば良い。
【００１６】
ゴンドラ用の収納式床装置１０の床板１１は、矩形のフレーム１１ａの基端部の２か所が連結ボルト１１ｂで回動可能に作業ケージ２の床フレームに取り付けられ、連結ボルト１１ｂを中心に水平にはね出させて使用状態としたり、作業ケージ２の前面に沿うように回動させて収納状態にできるようになっている。
また、この床板１１には、前方および両側面が枠板１１ｃで囲んであり、踏み外したり、ものが落下しないようにしてある。
【００１７】
この床板１１の前方および両側面に、ハネ出し手摺枠１２が設けられ、前方手摺枠１２ａと両側の側部手摺枠１２ｂ，１２ｂで構成されて枠組みされている。
前方手摺枠１２ａは前方上手摺枠１３および前方下手摺枠１４で構成され、両側面の側部手摺枠１２ｂ，１２ｂは側部手摺１８、１８で構成される。
【００１８】
前方手摺枠１２ａは、図６に示すように、前方上手摺枠１３と前方下手摺枠１４とがヒンジ１５で折り畳み可能に連結されて構成される。そして、前方上手摺枠１３は、上下の上下部手摺部材１３ａ、１３ｂおよび両側の側部手摺部材１３ｃ，１３ｃとを用いて溶接などで矩形に構成され、中間上部には、水平の補強部材１３ｄが配置されて溶接してある。
この前方上手摺枠１３の両側の側部手摺部材１３ｃ，１３ｃの上端部には、それぞれ外側に突き出す連結ピン１３ｅ，１３ｅが溶接などで取り付けてある。また、下端部の下部手摺部材１３ｂには、２箇所にヒンジ取付部１３ｆが設けられるとともに、ヒンジ取付部１３ｆに隣接して２箇所に固定ピン用の差込筒１３ｇが設けてある。
【００１９】
この前方上手摺枠１３にヒンジ１５を介して連結される前方下手摺枠１４は、上部手摺部材１４ａと両側の側部手摺部材１４ｂ，１４ｂとを用いて溶接などで連結されて下方が開口したコ字状に構成され、上端部には、水平の補強部材１４ｃが配置されて溶接されている。
また、両側の側部手摺部材１４ｂ，１４ｂの下端部には、それぞれ段付連結ボルト１１ｄ用のボルト装着孔１４ｄが設けられ、床板１１の先端部に段付連結ボルト１１ｄで床板１１のフレーム１１ａに連結される。さらに、上端部の上部手摺部材１４ａには、前方上手摺枠１３に対応して２箇所にヒンジ取付部１４ｅが設けられるとともに、ヒンジ取付部１４ｅに隣接して２箇所に固定ピン１６用の差込筒１４ｆが設けてある。
また、側部手摺部材１４ｂ，１４ｂには、収納状態を保持するためのストッパ取付部１４ｇ，１４ｇが２箇所設けられ、ストッパ１７のロッド１７ａを突出させて受け孔１７ｂに差し込むことでストッパとして機能させるようにしてある。
【００２０】
このような前方手摺枠１２ａは、前方上手摺枠１３と前方下手摺枠１４とがヒンジ取付部１３ｆ，１４ｅに取り付けたヒンジ１５で折り畳み可能に連結される一方、差込筒１３ｇ，１４ｆに固定ピン１６を差し込むことで上下に連結した直線状の伸長状態が保持される。
【００２１】
この前方手摺枠１２ａの両側の側部手摺枠１２ｂ，１２ｂは、新たに設ける手摺リンク部材としての上部横手摺リンク１８ａと中間部横手摺リンク１８ｂとを備えて枠状とされて側部手摺枠１８が構成されるが、他の手摺リンク部材は本体手摺３、前方手摺枠１２ａおよび床板１１が手摺リンク部材として兼用される。
すなわち、側部手摺枠１２ｂの前方の手摺リンク部材が前方手摺枠１２ａの側部手摺部材１３ｃ，１４ｂで兼用され、後方の手摺リンク部材が本体手摺３の手摺支柱３ａで兼用され、さらに下方の手摺リンク部材が床板１１のフレーム１１ａで兼用される。
【００２２】
そして、この側部手摺枠１８では、上部横手摺リンク１８ａが本体手摺３の手摺支柱３ａの上端部に連結ピンで連結されるとともに、側部手摺部材１３ｃの外側に突き出す連結ピン１３ｅに長孔１８ｃを介して連結してある。
この上部横手摺リンク１８ａの前方側に長孔１８ｃを形成することで、上手摺枠１３の側部手摺部材１３ｃをヒンジ１５を介して折り畳むように回動させる場合連結ピン１３ｅが長孔１８ｃ内をスライドし、リンクの長さの相違を吸収してスムーズに回動させて折り畳むことができるようにしてある。
また、中間部横手摺リンク１８ｂが本体手摺３の手摺支柱３ａの中間部に連結ピンで連結されるとともに、前方下手摺枠１４の側部手摺部材１４ｂの補強部材１４ｃの下部に連結ピンで連結してある。
【００２３】
さらに、ハネ出し床板１１を水平に保持するとともに、ハネ出し手摺枠１２をハネ出した使用状態に保持するため、中間部横手摺リンク１８ｂの手摺支柱３ａの連結ピンと床板１１の前方の側部手摺部材１４ｂの下端のボルト装着孔１４ｄに段付連結ボルト１１ｄとの間の対角線上に保持リンク１９が連結されている。この保持リンク１９は中間部がピンで連結された２つの保持リンク部材１９ａ，１９ｂで構成され、中間部のピンから折り畳むことができるようになっている。
【００２４】
このように構成したゴンドラ用の収納式床装置１０では、ハネだし収納式の床板１１をハネ出して床板１１上から作業を行う場合には、図２に示すように、前方上手摺枠１３と前方下手摺枠１４とを連結するヒンジ１５を直線状に伸長して差込筒１３ｇ，１４ｆに固定ピン１６を差し込んでおく。
この状態で床板１１を水平となるように連結ボルト１１ｂを支点として回動させることで、床板１１がはり出して保持リンク１９ａ，１９ｂによって保持されるとともに、ハネ出し手摺枠１２で前方および両側面が本体手摺３と同一高さに設置された状態となる（図３,４参照）。
【００２５】
そこで、ハネ出した床板１１に作業ケージ２から乗り移ることで、作業側面が窪んでいても支障なく安全に作業を行うことが可能となる。
【００２６】
次に、作業壁面が突き出した部分に移動したり、そこで作業を行う場合には、収納式床装置１０を収納状態とする。
まず、床板１１およびハネ出し手摺枠１２のハネ出し状態から床板１１を基端部の連結ボルト１１ｂを中心に跳ね上げるようにすると、側部手摺枠１２ｂ，１２ｂもそれぞれ上下部横手摺リンク１８ａ，１８ｂの基端部の連結ピンを中心に跳ね上がるように回動し、保持リング１９の２つの保持リンク部材１９ａ，１９ｂが連結部で折れ曲がることで、前方手摺枠１２ａが本体手摺３の手摺支柱３ａに重なるようになる。
この状態では、前方手摺枠１２ａが中間部横手摺リンク１８ｂとの連結ピンからの高さ分だけ上方に突き出した状態となる（図３（a）参照）。
【００２７】
そこで、前方上手摺枠１３と前方下手摺枠１４とが連結してあるヒンジ１５を固定している固定ピン１６を固定ピン用の差込筒１３ｇ，１４ｆから抜き出し、ヒンジ１５を中心に前方上手摺枠１３を前方下手摺１４に折り重ねるように回動させる。
すると、上部横手摺リンク１８ａはその基端部が本体手摺３の手摺支柱３ａとの固定された連結ピンを中心に水平状態から垂直状態を経てさらに回転し、手摺支柱３ａに重なるようになる。これと同時に、前方上手摺枠１３の上端部の連結ピン１３ｅが上部横手摺リンク１８ａの前方の長孔１８ｃを介して連結されているので、長孔１８ｃにガイドされながらヒンジ１５を支点として上部横手摺リンク１８ａの内側に入るようにして本体手摺３の手摺支柱３ａに折り重なるように収納される。
【００２８】
このハネ出し収納式の床板１１およびハネ出し手摺枠１２の収納された後、ストッパ１７のロッド１７ａを前方下手摺枠１４の受け孔１７ｂを介してその外側に重なるように収納された中間部横手摺リンク１８ｂに形成した受け孔１８ｄに差し込むことで収納状態を保持する。
【００２９】
このハネ出し手摺枠１２の収納状態では、前方上手摺枠１３をヒンジ１５部分から折り畳んで作業ケージ２の内側に収納されることで、本体手摺３と同一高さとなり、作業ケージ２での左右方向へ移動しながら行う作業を中断することなく連続して行うことができる。
【００３０】
なお、上記の実施の形態では、ゴンドラ装置の昇降や横行については特に説明しなかったが、構造物側に巻き取り・巻き戻し装置を設置し手作業ケージを昇降させるいわゆる本設形式や作業ケージ内にワイヤを巻き掛けて巻き掛け位置を変えながら昇降するエンドレスワインダを備える仮設形式など、どのような形式であっても同様に適用できるものである。
また、ハネダシ収納式の床板のハネ出し長さによっては、ハネ出し手摺枠を１箇所のヒンジで本体手摺の高さまで収納できない場合にもあるが、複数箇所で折り畳んで収納するようにすることもできる。
【符号の説明】
【００３１】
１      ゴンドラ装置
２      作業ケージ
３      本体手摺
３ａ    手摺支柱
１０    ゴンドラ用の収納式床装置
１１    収納式の床板
１１ａ  矩形のフレーム
１１ｂ  連結ボルト
１１ｃ  枠板
１１ｄ  段付連結ボルト
１２    ハネ出し手摺枠
１２ａ  前方手摺枠
１２ｂ  側部手摺枠
１３    前方上手摺枠
１３ａ  上部手摺部材
１３ｂ  下部手摺部材
１３ｃ  側部手摺部材
１３ｄ  補強部材
１３ｅ  連結ピン
１３ｆ  ヒンジ取付部
１３ｇ  固定ピン用の差込筒
１４    前方下手摺枠
１４ａ  上部手摺部材
１４ｂ  側部手摺部材
１４ｃ  補強部材
１４ｄ  ボルト装着孔
１４ｅ  ヒンジ取付部
１４ｆ  固定ピン用の差込筒
１５    ヒンジ
１６    固定ピン
１７    ストッパ
１７ａ  ロッド
１７ｂ  受け孔
１８    側部手摺枠
１８ａ  上部横手摺リンク
１８ｂ  中間部横手摺リンク
１８ｃ  長孔
１８ｄ  ロッドの受け孔
１９    保持リンク
１９ａ  保持リンク部材
１９ｂ  保持リンク部材
【図１】
0006019437.tif 000002
【図２】
0006019437.tif 000003
【図３】
0006019437.tif 000004
【図４】
0006019437.tif 000005
【図５】
0006019437.tif 000006
【図６】
0006019437.tif 000007